(57)【要約】【課題】  病状の経過が類似する症例データを適切に検索できるようにする。【解決手段】  類似症例検索装置１００であって、異なる時期に撮影された同一の被検体に対する複数の医用画像それぞれから特徴量を抽出し、疾患進行モデルを構築する疾患進行モデル構築機能と、症例データを読み出す手段と、検査データを取得する手段と、前記検査データに含まれる複数の医用画像それぞれから抽出された特徴量を、前記モデルを用いて補間し、該補間された特徴量を用いて、前記検査データと前記症例データとの類似度を演算する類似症例検索機能と、前記演算された類似度に基づいて選択された症例データを表示するモニタ１１１とを備える。【選択図】  図１
2010165127.tif 000002
【特許請求の範囲】
【請求項１】
異なる時期に撮影された同一の被検体に対する複数の医用画像それぞれから特徴量を抽出し、特徴量の時間変化のモデルを構築する構築手段と、
異なる時期に撮影された同一の被検体に対する複数の医用画像を含む症例データを、データベースから読み出す読出手段と、
検査対象となる被検体について異なる時期に撮影された複数の医用画像を含む検査データを取得する取得手段と、
前記症例データに含まれる複数の医用画像それぞれから抽出された特徴量、または前記検査データに含まれる複数の医用画像それぞれから抽出された特徴量のいずれかを、前記モデルを用いて補間する補間手段と、
前記補間手段により補間された特徴量を用いて、前記検査データに含まれる複数の医用画像と、前記症例データに含まれる複数の医用画像との類似度を演算する演算手段と、
前記演算された類似度に基づいて選択された症例データを出力する出力手段と
を備えることを特徴とする情報処理装置。
【請求項２】
前記補間手段は、被検体の疾患の性質、被検体の性別、被検体の年齢、疾患の治療方法のうちの少なくともいずれか１つに基づいて選択されたモデルを用いて前記特徴量を補間することを特徴とする請求項１に記載の情報処理装置。
【請求項３】
前記補間手段は、前記複数の医用画像を治療前に撮影された医用画像と予後に撮影された医用画像とに分けて、それぞれの医用画像から抽出された特徴量について補間することを特徴とする請求項１に記載の情報処理装置。
【請求項４】
前記演算手段は、前記検査データに含まれる複数の医用画像と前記症例データに含まれる複数の医用画像との類似度を、治療前に撮影された医用画像と予後に撮影された医用画像とに分けて、演算することを特徴とする請求項３に記載の情報処理装置。
【請求項５】
前記演算手段は、
治療前に撮影された医用画像を含む前記検査データと治療前に撮影された医用画像を含む前記症例データとの類似度を演算する第１の演算手段と、
予後に撮影された医用画像を含む前記検査データと予後に撮影された医用画像を含む前記症例データとの類似度を演算する第２の演算手段と
を備えることを特徴とする請求項３に記載の情報処理装置。
【請求項６】
前記出力手段は、
前記第１の演算手段により演算された類似度と、前記第２の演算手段により演算された類似度とを用いて演算した総合類似度に基づいて選択された症例データを出力することを特徴とする請求項５に記載の情報処理装置。
【請求項７】
前記出力手段は、
前記第１の演算手段により演算された類似度に基づいて選択された症例データを出力する第１の出力手段と、
前記第２の演算手段により演算された類似度に基づいて選択された症例データを出力する第２の出力手段と
を備えることを特徴とする請求項５に記載の情報処理装置。
【請求項８】
異なる時期に撮影された同一の被検体に対する複数の医用画像それぞれから特徴量を抽出し、特徴量の時間変化のモデルを構築する構築工程と、
異なる時期に撮影された同一の被検体に対する複数の医用画像を含む症例データを、データベースから読み出す読出工程と、
検査対象となる被検体について異なる時期に撮影された複数の医用画像を含む検査データを取得する取得工程と、
前記症例データに含まれる複数の医用画像それぞれから抽出された特徴量、または前記検査データに含まれる複数の医用画像それぞれから抽出された特徴量のいずれかを、前記モデルを用いて補間する補間工程と、
前記補間工程において補間された特徴量を用いて、前記検査データに含まれる複数の医用画像と、前記症例データに含まれる複数の医用画像との類似度を演算する演算工程と、
前記演算された類似度に基づいて選択された症例データを出力する出力工程と
を備えることを特徴とする情報処理装置における情報処理方法。
【請求項９】
請求項８に記載の情報処理方法をコンピュータによって実行させるためのプログラム。
【請求項１０】
請求項８に記載の情報処理方法をコンピュータによって実行させるためのプログラムを格納したコンピュータ読取可能な記憶媒体。
【発明の詳細な説明】
【技術分野】
【０００１】
本発明は、類似する症例データを検索するための情報処理技術に関するものである。
【背景技術】
【０００２】
近年、病院情報システム（ＨＩＳ）や画像保管通信システム（ＰＡＣＳ）等の医用情報システムの普及に伴って、医用文書及び医用画像の電子化が進展している。なお、ＨＩＳとは、Hospital Information System の略語であり、ＰＡＣＳとは、Picture Archiving and Communication System の略語である。
【０００３】
これにより、以前はフィルムに現像されてからシャーカステン上で見ることが多かった医用画像（Ｘ線画像、ＣＴ画像、ＭＲＩ画像など）は、現在、デジタル化され、モニタ上で見ることが可能となっている。
【０００４】
具体的には、デジタル化された医用画像（医用画像データ）はＰＡＣＳ等に保管され、必要な時にＰＡＣＳから読み出し、読影端末のモニタ上で読影することが可能となっている。
【０００５】
また、診療記録等の医用文書も診療録データとして電子化され、被検体である患者の診療録データをＨＩＳ等から読み出し、読影端末のモニタ上で見ることが可能となっている。
【０００６】
このように電子化された環境では、読影医は、読影の依頼箋を電子的なメッセージによって受け取り、当該メッセージに基づいて該当する患者の医用画像データをＰＡＣＳから読み出し、読影端末の読影専用モニタ上に表示させながら診断を行うこととなる。また、必要に応じて患者の診療録データをＨＩＳから読み出して、別のモニタ上に表示させながら診断を行うこととなる。
【０００７】
一方で、読影医の読影時の負担軽減を目的として、医用画像データを画像解析することにより疾患部位等を自動検出して、コンピュータ支援診断を行う医用画像処理装置の開発が進められている。なお、以下、かかるコンピュータ支援診断を、ＣＡＤ（Computer-Aided Diagnosis）と称する。
【０００８】
このようなＣＡＤでは、異常陰影候補を疾患部位として自動検出し、表示することができる。具体的には、Ｘ線画像等の医用画像データをコンピュータ処理することにより、癌等による異常な腫留陰影や高濃度の微小石灰化陰影等を検出し、表示させることができる。このため、ＣＡＤを用いれば、読影医の読影時の負荷を軽減させることができるとともに、読影精度を向上させることができるようになる。
【０００９】
更に、読影医の読影時の負荷を軽減させるための技術として、例えば、下記特許文献１が挙げられる。当該特許文献１によれば、医用画像データから異常候補を自動検出するとともに、異常候補の部位を囲む領域（以降、関心領域と呼ぶ）を自動設定することができるため、読影医が関心領域を手動で設定する手間を省くことが可能となる。
【００１０】
一方で、読影医による読影時の読影精度を更に向上させるための技術開発も求められている。一般に、読影医が医用画像データを読影して診断を行う際に、読影中の医用画像データに写った患部が見慣れない画像特徴を持つ場合や、類似した画像特徴を持つ疾患が複数存在する場合などには、診断名の判断に迷うことがある。
【００１１】
このような場合に、迷った読影医は、通常、他のベテランの読影医に相談するか、あるいは、自身で医学書等の文献を調べて、疑わしい疾患名に関する画像特徴の解説文を読むといった作業を行う。あるいは、写真付きの医学文献を調べ、読影中の医用画像データに写った患部と類似した写真を探し出し、当該写真の疾患名を調べることで、診断の参考にするといった作業を行う。
【００１２】
しかしながら、相談できる他のベテランの読影医が常に近くにいるとは限らない。また、医学文献を調べたとしても、読影中の医用画像データに写った患部と類似した写真あるいは画像特徴の解説文が必ずしも見つかるとは限らない。
【００１３】
そこでこのような問題を電子的な手段で解決し読影精度の向上を図るべく、近年、類似症例検索装置の開発が進められてきている。類似症例検索装置の基本的な考え方は、過去に蓄積した症例データの中から何らかの基準に基づき複数の症例データを検索し、読影医に表示することにより、診断の支援を行おうとするものである。
【００１４】
類似症例検索における一般的な方法としては、読影中の医用画像データと画像特徴量が類似する類似画像データを、過去に蓄積した画像データベースから検索する方法が知られている。
【００１５】
更に、疾患の進行状況等の経過観察の結果に基づいて診断を行う場合にあっては、一時点での医用画像データの類否だけではなく、同じ患者について異なる時期に撮影された複数の医用画像データに基づいて、経過の類否を判断する方法もある。かかる方法の場合、経過が類似する症例データを提示することで、病気の診断のみならず、その後の検査計画や治療計画の立案等において、信頼性の高い参考情報を提示することが可能となるという利点がある。
【００１６】
このように、同じ患者について異なる時期に撮影された複数の医用画像データに基づいて、経過の類否を判断することで診断を支援する類似症例検索方法としては、例えば、下記特許文献２が挙げられる。
【００１７】
特許文献２によれば、検査対象の時系列の医用画像データの各医用画像データと画像特徴量が類似し、かつ検査対象の時系列の医用画像データと撮影の時間間隔が等しい症例データを、病状の経過が類似する症例データとして提示することが可能となる。
【特許文献１】特開２００７−３２５６４１号公報
【特許文献２】特開２００７−２８７０１８号公報
【発明の開示】
【発明が解決しようとする課題】
【００１８】
しかしながら、特許文献２に開示された発明の場合、経過が類似する症例データの候補として、検査対象の時系列の医用画像データと撮影の時間間隔が等しい症例データしか提示することができない。
【００１９】
つまり、たとえ実際の経過が類似していたとしても、検査対象の時系列の医用画像データと撮影の時間間隔が異なる症例データについては、類似する症例データとして提示されることがないという問題がある。
【００２０】
このため、経過が類似する症例データの検索に際しては、撮影の時間間隔に関わらず適切に検索できるように構成することが、読影精度の向上の観点から望ましい。
【００２１】
本発明は、上記の課題に鑑みてなされたものであり、経過が類似する症例データを適切に検索できるようにすることを目的とする。
【課題を解決するための手段】
【００２２】
上記の目的を達成するために本発明に係る情報処理装置は以下のような構成を備える。即ち、
異なる時期に撮影された同一の被検体に対する複数の医用画像それぞれから特徴量を抽出し、特徴量の時間変化のモデルを構築する構築手段と、
異なる時期に撮影された同一の被検体に対する複数の医用画像を含む症例データを、データベースから読み出す読出手段と、
検査対象となる被検体について異なる時期に撮影された複数の医用画像を含む検査データを取得する取得手段と、
前記症例データに含まれる複数の医用画像それぞれから抽出された特徴量、または前記検査データに含まれる複数の医用画像それぞれから抽出された特徴量のいずれかを、前記モデルを用いて補間する補間手段と、
前記補間手段により補間された特徴量を用いて、前記検査データに含まれる複数の医用画像と、前記症例データに含まれる複数の医用画像との類似度を演算する演算手段と、
前記演算された類似度に基づいて選択された症例データを出力する出力手段とを備える。
【発明の効果】
【００２３】
本発明によれば、経過が類似する症例データを適切に検索することが可能となる。
【発明を実施するための最良の形態】
【００２４】
以下、図面を参照しながら、本発明の好適な実施の形態について説明する。
【００２５】
［第１の実施形態］
＜１．医用情報システムの全体構成及び類似症例検索装置の構成＞
図１は、本発明の第１の実施形態に係る類似症例検索装置（情報処理装置）を備える医用情報システムの全体構成及び類似症例検索装置の構成を示す図である。
【００２６】
図１において、類似症例検索装置１００は、制御部１１０、モニタ１１１、マウス１１２、キーボード１１３を有する。
【００２７】
制御部１１０は、中央演算処理装置（ＣＰＵ）１０１、主メモリ１０２、磁気ディスク１０３、表示メモリ１０４、共通バス１０５を有する。そして、ＣＰＵ１０１が主メモリ１０２に格納された制御プログラムを実行することにより、症例データベース１２０、医用画像データベース１３０および診療録データベース１４０との通信、類似症例検索装置１００全体の制御等、各種制御が実行される。
【００２８】
ＣＰＵ１０１は、類似症例検索装置１００を構成する各構成要素の動作制御を行う制御プログラムを実行したり、本装置の主機能である類似症例検索プログラムを実行したりする。主メモリ１０２は、ＣＰＵ１０１が実行する制御プログラムを格納したり、ＣＰＵ１０１による類似症例検索プログラム実行時の作業領域を提供したりする。
【００２９】
磁気ディスク１０３は、オペレーティングシステム（ＯＳ）、周辺機器のデバイスドライバ等の制御プログラムのほか、後述する症例データ生成機能、疾患進行モデル構築機能、類似症例検索機能を実現する類似症例検索プログラムを格納する。また、類似症例検索プログラムが使用する各種データを格納する。
【００３０】
表示メモリ１０４は、モニタ１１１のための表示用データを一時記憶する。モニタ１１１は、例えばＣＲＴモニタや液晶モニタ等であり、表示メモリ１０４から出力された表示用データに基づいて画像を表示する。
【００３１】
マウス１１２及びキーボード１１３は、ユーザがポインティング入力及び文字等の入力を行う際に用いる構成要素である。これらの各構成要素は共通バス１０５により互いに通信可能に接続されている。
【００３２】
なお、医用情報システムの構成は、図１の構成例に限定されるものではなく、例えば、医用画像データベース１３０として既存のＰＡＣＳを利用するようにしてもよい。また、診療録データベース１４０として既存のＨＩＳのサブシステムである電子カルテシステムを利用するようにしてもよい。
【００３３】
また、類似症例検索装置１００に外部記憶装置、例えばＦＤＤ、ＨＤＤ、ＣＤドライブ、ＤＶＤドライブ、ＭＯドライブ、ＺＩＰドライブ等を接続し、それらのドライブから症例データや医用画像データ、診療録データを読み込むように構成してもよい。
【００３４】
このような医用情報システムを構築することにより、類似症例検索装置１００では、ＬＡＮ１５０を介して症例データベース１２０から症例データを読み出すことができる。また、医用画像データベース１３０から医用画像データを、診療録データベース１４０から診療録データをそれぞれ読み出すことができる。
【００３５】
なお、医用画像データベース１３０に格納される「医用画像データ」には、単純Ｘ線画像（レントゲン画像）、Ｘ線ＣＴ画像、ＭＲＩ画像、ＰＥＴ画像、ＳＰＥＣＴ画像、超音波画像等が含まれるものとする。
【００３６】
また、診療録データベース１４０に格納される「診療録データ」には、被検体である患者の個人情報（氏名、生年月日、年齢、性別等）、臨床情報（様々な検査値、主訴、既往歴、治療歴等）等が含まれるものとする。また、医用画像データベース１３０に格納された患者の医用画像データへの参照情報および主治医の所見情報なども含まれるものとする。さらに、診断が進んだ段階での診療録データにあっては、確定診断名も含まれるものとする。
【００３７】
一方、症例データベース１２０に格納される「症例データ」とは、同一の患者に関して異なる時期に撮影された医用画像データ及びこれに対応する診療録データと、時系列の医用画像データを解析することで得られたデータとを関連付けた情報をいうものとする。
【００３８】
症例データは、類似症例検索装置１００の類似症例検索プログラムにおける症例データ生成機能が実行されることにより生成され、症例データベース１２０に格納される。具体的には、医用画像データベース１３０に保管された医用画像データおよび診療録データベース１４０に保管された診療録データの一部をコピーしたもの、またはそれらへのリンク情報として生成され、格納される。
【００３９】
表１に、症例データベース１２０に格納される症例データテーブルの一例を示す。症例データテーブルとは、同じ項目から成る複数の症例データを規則正しく並べたデータの集まりである。表１では、同一患者の医用画像データは、同一の症例データＩＤ（これは患者ＩＤと等価）で関連付けられている。
【００４０】
【表１】
2010165127.tif 000003
【００４１】
なお、本実施形態に係る類似症例検索装置１００では、症例データを生成したうえで、類似症例検索機能を実行する。具体的には、検査対象の患者の医用画像データ（検査対象画像と称す）と、当該患者の過去の時系列の医用画像データを合わせた情報（検査対象症例と称す）とをクエリとして、症例データベース１２０から経過が類似する症例データを検索する。
【００４２】
なお、このとき、検査対象症例の画像特徴量についての離散的な時系列データ（以降、離散時系列データと呼ぶ）を補間することで、検査対象症例と撮影の時間間隔が異なる症例データとの類似度の演算を可能にする。検査対象症例の離散時系列データの補間方法としては、例えば検査対象症例と一部の撮影の時間間隔が同じで、かつ類似する医用画像データを有する症例データに含まれる他の医用画像データを用いて行う方法が考えられる。
【００４３】
しかし、症例データに含まれる医用画像データを用いて、検査対象症例の画像特徴量を補間し、連続する時系列データを生成することは難しい。そこで、本実施形態では、類似症例検索機能の実行に際して、疾患進行モデル構築機能を動作させ、まず疾患の連続的な時系列の進行パターンを平均化したモデル（画像特徴量の時間変化のモデル）を複数作成する。そして、作成した複数の疾患進行モデルの中から検査対象症例が最も合致するものを選択し、該選択した平均的な疾患進行モデルを、検査対象症例固有の離散時系列データに適合させることで、連続する時系列データを実現するための補間を行う。なお、以下では、作成された複数のモデルを、「疾患進行モデル」と称することとする。
【００４４】
以下、類似症例検索プログラムにより実現される各機能（症例データ生成機能、疾患進行モデル構築機能、類似症例検索機能）の詳細について説明する。
【００４５】
＜２．症例データ生成機能＞
はじめに、図２のフローチャートを用いて、症例データ生成機能の詳細について説明する。ここでは、表１のように、同一患者の時系列の医用画像データとそこから抽出される画像特徴量、診療録データとを関連付けて保存する場合について説明する。
【００４６】
ステップＳ２０１では、ＣＰＵ１０１がマウス１１２やキーボード１１３の入力に応じて、症例データベース１２０に格納される医用画像データ（格納対象画像と称す）を、医用画像データベース１３０から読み出し、類似症例検索装置１００に入力する。
【００４７】
格納対象画像の入力処理は、例えば、上述したように、ＣＰＵ１０１が、医用画像データベース１３０からＬＡＮ１５０を介して格納対象画像を受信することで実現される。或いは、ＣＰＵ１０１が、類似症例検索装置１００に接続された記憶装置、例えばＦＤＤ、ＣＤ−ＲＷドライブ、ＭＯドライブ、ＺＩＰドライブ等の各種記憶媒体から格納対象画像を読み出すことで実現される。
【００４８】
ステップＳ２０２では、ＣＰＵ１０１が、格納対象画像に対応する診療録データを診療録データベース１４０から選択する。診療録データの選択処理は、格納対象画像に付随する症例データＩＤと等しい症例データＩＤが付随された診療録データを、診療録データベース１４０から抽出することで実現される。
【００４９】
ステップＳ２０３では、ＣＰＵ１０１が、格納対象画像と同一患者の症例データを症例データベース１２０から抽出する。症例データの抽出処理では、まず、格納対象画像に付随する症例データＩＤと等しい症例データＩＤが付随された症例データを症例データベース１２０から抽出する。そして、格納対象画像が新規の症例データかどうかを示すフラグＮｅｗを定義し、症例データベース１２０から抽出された場合にはＮｅｗ＝Ｆと設定する。一方、抽出されなかった場合には、格納対象画像を新規の症例データとみなし、フラグＮｅｗ＝Ｔと設定する。
【００５０】
ステップＳ２０４では、ＣＰＵ１０１が、格納対象画像から疾患部位領域を認識する。疾患部位領域の認識処理は、ＣＰＵ１０１がモニタ１１１上に格納対象画像を表示した後、読影医によって指定された領域を主メモリ１０２上に記憶することで実現される。
【００５１】
具体的には、読影医がマウス１１２を操作することで指定した、疾患部位領域が最も適切に描出されていると読影医が判断したスライス（関心スライスと称す）の番号及び関心スライス中の関心領域の座標を記憶する。
【００５２】
そして、モニタ１１１上に、ステップＳ２０３において抽出された症例データの中から格納対象画像と撮影時期とが最も近い過去の症例データを表示し、さらに疾患部位の関心領域を表示する。このとき、格納対象画像から、過去の症例データの関心領域と同一の疾患部位を表す関心領域を読影医が指定し、指定された関心領域を主メモリ１０２上に記憶する。これにより、格納対象画像から過去の症例データと同一の疾患部位の関心領域を抽出する。
【００５３】
ただし、格納対象画像から疾患部位領域を認識する処理は、これに限られない。例えば、特許文献１に記載されているＣＡＤ技術により、読影医の手を介さずに、格納対象画像を画像解析することにより疾患部位の存在位置を自動的に検出して、さらに疾患部位を囲む関心領域を自動設定するように構成してもよい。
【００５４】
なお、この処理は、ステップＳ２０３においてフラグＮｅｗ＝Ｆが設定された場合にのみ行う。
【００５５】
ステップＳ２０５では、ＣＰＵ１０１が、ステップＳ２０４において認識された関心領域を画像解析し、疾患の特徴を表す画像特徴量を抽出する。画像特徴量ベクトルＦの各要素｛ｆ１，ｆ２，・・・ｆｎ｝（ｎは画像特徴量の要素数）は、例えば、対象となる疾患（異常）が肺結節の場合にあっては、結節の大きさ、結節内部と辺縁とのコントラスト差、結節内部の濃度の平均・分散、結節領域の境界の複雑さ等となる。
【００５６】
ステップＳ２０６では、ＣＰＵ１０１が、格納対象画像と、ステップＳ２０２において抽出された診療録データとを関連付ける。更に、ステップＳ２０３において抽出された症例データ、ステップＳ２０４において認識された疾患部位領域、ステップＳ２０５において抽出された画像特徴量を関連付ける。
【００５７】
これらの関連付け処理は、まず格納対象画像、診療録データ、疾患部位領域、画像特徴量を、一つの検査データとして関連付ける。次に、ステップＳ２０３においてフラグＮｅｗ＝Ｆが設定されていた場合、格納対象画像と、抽出した症例データの各画像の撮影時期を比較し、時系列に並ぶように格納対象画像を含む検査データを症例データに追加する。これにより、同一ＩＤの症例データにおいて、医用画像データが時系列に関連付けられることとなる。
【００５８】
一方、Ｎｅｗ＝Ｔが設定されていた場合は、新規の症例データであるため、症例データとの関連付け処理は行わない。そして、新たな症例データとして症例データベース１２０に格納する。
【００５９】
以上の処理により、表１の症例データテーブル上に示された症例データの格納が行われる。なお、表１における、確定診断名、疾患の進行度などの項目は、診療録データから取得したものである。
【００６０】
＜３．疾患進行モデル構築機能＞
次に、図３のフローチャートを用いて、疾患進行モデル構築機能の詳細について説明する。なお、疾患の進行パターンは、主に、疾患の性質や患者の年齢層や性別によって異なる変化を呈する。そこで、本実施形態に係る類似症例検索装置１００では、疾患の性質・患者の年齢層・患者の性別に応じて異なるグループを定義し（以降、症例グループと呼ぶ）、症例グループごとに疾患進行モデルを構築することとする。
【００６１】
表２は、疾患の性質・患者の年齢層・患者の性別ごとに定義した症例グループの一例を表している。
【００６２】
【表２】
2010165127.tif 000004
【００６３】
なお、症例グループごとに疾患進行モデルを構築するにあたっては、まず、症例データベース１２０に格納された各症例データを上記の症例グループに分類する。そして、症例グループごとに、そのグループに含まれる各症例データの時系列での進行パターンを平均化したパターンを求め、疾患進行モデルとする。
【００６４】
ここで、複数の症例データを平均化したモデルを求めるためには、症例データの時系列の医用画像データを同一の座標で対応付ける必要がある。本実施形態では各症例データの時系列の医用画像データを疾患の進行度に基づき同一時間軸上で対応付ける。以下、これらの処理の流れを図３のフローチャートに基づいて説明する。
【００６５】
ステップＳ３０１では、ＣＰＵ１０１が、症例データベース１２０内の各症例データにおける時系列の医用画像データの画像特徴量から、画像特徴量の離散時系列データを作成する。
【００６６】
ここでは、各症例データにおける複数の画像特徴量ベクトルＦの間で、要素ごとの対応付けを行う。ある症例データにおける医用画像データごとの画像特徴量ベクトルを、Ｆｋ＝｛ｆ１Ｋ，ｆ２Ｋ，・・・，ｆｎＫ｝とする。
【００６７】
ここで、ｋは医用画像データごとの画像特徴量ベクトルの番号を、ｎは画像特徴ベクトルの要素数をそれぞれ表す。このとき、同一の症例データに含まれる全ての医用画像データの間でＦｋの各要素を対応付ける。例えば表１の症例データＩＤが１の症例データの場合、１つ目の画像特徴量の要素に関して、ｆ１１・ｆ１２・ｆ１３・ｆ１４・ｆ１５の５つを対応付ける。その他の要素も同様の対応付けを行う。
【００６８】
そして、対応付けられた各要素に関して、横軸に時間、縦軸に画像特徴量の値をとった座標系を構築し、この座標系でプロットした画像特徴量を各要素の離散時系列データとする。
【００６９】
図４は、画像特徴量の１つ目の要素に関する離散時系列データのグラフである。ステップＳ３０１における各処理は、症例データベース１２０に含まれる全ての症例データに対して行われる。
【００７０】
ステップＳ３０２では、ＣＰＵ１０１が、ステップＳ３０１において作成された各症例データにおける離散時系列データを、前述の表２で表される症例グループの何れかに分類する。
【００７１】
例えば、「確定診断名：診断名1」、「患者性別：男性」、「患者年齢層：高年齢」の症例データであれば、「症例グループＩＤ：３」に分類される。ステップＳ３０２における処理は、症例データベース１２０に含まれる全ての症例データに対して行われる。
【００７２】
ステップＳ３０３では、ＣＰＵ１０１が、症例グループの総数をＮ、処理対象の症例グループＩＤ：ｉを１に設定する。
【００７３】
ステップＳ３０４では、ＣＰＵ１０１が、処理対象の症例グループＩＤ：ｉ（以下、グループＩＤ：ｉと呼ぶ）に属する全ての離散時系列データを同一の座標軸で対応付ける。なお、ステップＳ３０４における処理の一例を以下に示す。但し、離散時系列データの対応付け処理は、下記の方法に限定されるものではない。
【００７４】
図４に示すように、離散時系列データの各時点において、診断名が確定していれば、疾患の進行度も確定している。そこで、この疾患の進行度を基準に離散時系列データ間の対応付けを行う。
【００７５】
具体的には、時間軸上において疾患の進行度が付与された二つの離散時系列データをそれぞれＤＡ、ＤＢとする。さらに、ＤＡとＤＢの時間軸上に付与された疾患の進行度（ここでは５段階で表す）の集合をそれぞれＰＡとＰＢとする。なお、ＰＡ及びＰＢの値は、それぞれ時系列における診断済み症例の個数だけ存在する。このとき、ＤＡに対してＤＢを時間軸方向にのみ平行移動させ、ＰＡとＰＢの各値の位置が最も近くなる位置で平行移動を止めて位置合わせを行う。
【００７６】
これにより、互いの疾患の各進行度が最も近くなるようにＤＡとＤＢとが対応付けられたことになる。なお、かかる対応付け処理は、グループＩＤ：ｉに含まれる全ての離散時系列データの間で行われる。
【００７７】
ステップＳ３０５では、ＣＰＵ１０１が、ステップＳ３０４において同一の座標軸上に対応付けられたグループＩＤ：ｉに属する離散時系列データに基づいて、疾患進行モデルを作成する。
【００７８】
具体的には、同一の座標軸上にプロットされた全ての離散時系列データの点に最小二乗法を適用することで、疾患進行モデルのパターンを作成する。疾患進行モデルは、画像特徴量ベクトルＦの要素｛ｆ１，ｆ２，・・・ｆｎ｝ごとに作成する。そして、グループＩＤ：ｉの疾患進行モデルのベクトルＭｉ＝｛Ｍ１ｉ，Ｍ２ｉ，・・・Ｍｎｉ｝とする。
【００７９】
図５は、同一の座標軸上にプロットされたグループＩＤ：ｉに属する４つの症例データに関する画像特徴量ｆ１の離散時系列データに対して、最小二乗法を適用して得られた疾患進行モデルＭ１ｉ（点線で表された曲線）を表す図である。
【００８０】
ステップＳ３０６では、ＣＰＵ１０１が、ステップＳ３０５において得られた疾患進行モデルのベクトルＭｉを保存する。Ｍｉを保存する先は、症例データベース１２０であってもよいし、磁気ディスク１０３であってもよい。
【００８１】
ステップＳ３０７では、ＣＰＵ１０１が、グループＩＤ:ｉの値を１増加させる。
【００８２】
ステップＳ３０８では、ＣＰＵ１０１が、グループＩＤ:ｉの値を認識し、ｉの値が症例グループの総数Ｎ以下であればステップＳ３０４に戻り、そうでなければ疾患進行モデル構築処理を終了する。
【００８３】
以上の処理により、症例グループごとの疾患進行モデルの構築が行われる。そして症例グループごとの疾患進行モデルが構築されることで、類似症例検索機能の実行が可能となる。
【００８４】
＜４．類似症例検索機能＞
次に、図６のフローチャートを用いて、類似症例検索機能の詳細について説明する。
【００８５】
なお、本実施形態では、図３の疾患進行モデル構築処理が実行されることにより生成された疾患進行モデルを、検査対象症例に関する画像特徴量の離散時系列データに対して適合させることで、離散時系列データの補間を行う。
【００８６】
そして、補間された離散時系列データと、症例データベース１２０内の各症例データの離散時系列データとを比較して、両者の類似度を演算する。このとき、補間された離散時系列データを利用することで、検査対象症例と任意の撮影時間間隔の離散時系列データとの類似度を演算することが可能となる。
【００８７】
そして、演算した類似度に基づき検査対象症例に類似する症例データを選定し、時系列で提示する。以下、フローチャートに従って詳細に説明する。
【００８８】
ステップＳ６０１では、ＣＰＵ１０１が、マウス１１２やキーボード１１３の入力に応じて、検査対象画像を医用画像データベース１３０から読み出し、類似症例検索装置１００に入力する。当該入力処理は、図２のステップＳ２０１と同様の工程であるため、詳細な説明は省略する。
【００８９】
ステップＳ６０２では、ＣＰＵ１０１が、検査対象画像に対して、症例データベース１２０から同一患者の症例データを抽出し、抽出した症例データに含まれる時系列の医用画像データを関連付ける。このとき、検査対象画像と同一患者の症例データが、予め症例データベース１２０に格納されているものとする。
【００９０】
当該関連付け処理のうち、症例データの抽出処理は、図２のステップＳ２０２からステップＳ２０５までの処理と同様であるため、ここでは詳細な説明は省略する。なお、当該関連付け処理の過程で、検査対象画像の疾患部位領域の認識、及び画像特徴量の抽出が行われる。そして、抽出した症例データと検査対象画像とが症例データＩＤに基づいて関連付けられる。
【００９１】
表３は、検査対象画像と抽出した症例データとが関連付けられた結果を示している。表３に示すように、抽出した症例データには、過去に撮影された同一患者の時系列の医用画像データにおける疾患部位領域と画像特徴量とが含まれている。このため、検査対象画像と同一患者の時系列の医用画像データに関するこれらの情報が、検査対象症例として関連付けられることとなる。
【００９２】
【表３】
2010165127.tif 000005
【００９３】
ステップＳ６０３では、ＣＰＵ１０１が、ステップＳ６０２において関連付けられた検査対象症例の時系列の医用画像データに関する画像特徴量から、離散時系列データを作成する。具体的には、まず、表２に示す検査対象画像の画像特徴量Ｆｔを、Ｆｔ＝｛ｆ１ｔ，ｆ２ｔ，・・・ｆｎｔ｝とする。そして、図３のステップＳ３０１と同様の処理により、Ｆｔと、抽出した症例データにおける各医用画像データの画像特徴量ベクトルＦｋとを、要素ごとに対応付ける。
【００９４】
なお、図７は、対応付けられた後の、１つ目の画像特徴量に関する離散時系列データのグラフを示す図である。
【００９５】
ステップＳ６０４では、ＣＰＵ１０１が、疾患進行モデルに基づき、検査対象の離散時系列データを補間する。まず、検査対象症例を表２の症例グループに分類し、該当する症例グループに対応する疾患進行モデルを選択する。これにより、検査対象症例に最も合致する疾患進行モデルを選択したこととなる。
【００９６】
疾患進行モデルが症例データベース１２０に格納されている場合には、症例データベース１２０から選択し、磁気ディスク１０３に格納されている場合には、磁気ディスク１０３から選択する。
【００９７】
例えば、検査対象症例が「確定診断名：診断名１」、「患者性別：男性」、「患者年齢層：高年齢」に属する場合には、「症例グループＩＤ：３」に該当する疾患進行モデルのベクトルＭ３が選択される。そして、選択した疾患進行モデルを、検査対象症例の離散時系列データに適合させる。
【００９８】
図８は、画像特徴量ｆ１に関する検査対象症例の離散時系列データｄ１Ｔに対して、疾患進行モデルＭ１３を適合させることで、ｄ１Ｔを補間した一例を示している。ただし、ｄ１Ｔ：｛ｆ１１９，ｆ１１８，ｆ１１７，ｆ１１６，ｆ１ｔ｝とする。
【００９９】
当該処理は以下の手順で実行される（但し、疾患進行モデルに基づく補間処理は、下記の方法に限定されるものではない）。
【０１００】
まず、疾患進行モデルＭ１３を複数の制御点に分割した後、スプライン曲線Ｃ１で近似する。ここでは、分割間隔αを、離散時系列データの時間全体の１／１０とする。
【０１０１】
次に、検査対象症例の離散時系列データｄ１Ｔと、この曲線Ｃ１とを、図３のステップＳ３０４と同様の処理により位置合わせする。
【０１０２】
そして、曲線Ｃ１上の制御点の幾つかをｄ１Ｔ上の点に置き換えて再度スプライン曲線Ｃ１ｔを引き直す。例えば、ｄ１Ｔに含まれる各点ｆ１ｋから一定距離内（この例では上記αを適用する）に含まれる制御点を、それぞれ点ｆ１ｋと置き換える。
【０１０３】
これにより、平均的な疾患進行モデルに基づいた上で、離散時系列データｄ１Ｔを通る固有の連続的な時系列データが作成されることとなる。このデータを画像特徴量ｆ１ｋに関する検査対象症例の補間時系列データと呼び、データｑ１Ｔと表す。その他の画像特徴量ｆ２，・・・ｆｎについても同様の処理を行うことで、補間時系列データのベクトルＱＴ＝｛ｑ１Ｔ，ｑ２Ｔ，・・・ｑｎＴ｝が作成される。
【０１０４】
ステップＳ６０５では、ＣＰＵ１０１が、ステップＳ６０４において作成された検査対象症例の補間時系列データと、症例データベース１２０内に格納された各症例データの離散時系列データとの類似度をそれぞれ演算する。
【０１０５】
類似度の演算処理では、まず、図３のステップＳ３０４と同様に、検査対象症例の補間時系列データと、比較する症例データＩＤ：ｉの離散時系列データとの間で、互いの疾患の各進行度が最も近くなるように、両者を同一時間軸上で位置合わせする。
【０１０６】
ここで、症例データＩＤ：ｉの離散時系列データのベクトルをＤｉ＝｛ｄ１ｉ，ｄ２ｉ，・・・，ｄｎｉ｝と呼ぶことにする。
【０１０７】
次に、データＱＴとデータＤｉの類似度Ｓｉを演算する方法の一例を以下に示す。但し、類似度Ｓｉの演算方法は下記の方法に限定されるものではない。
【０１０８】
データＱＴは連続する時系列データであるため、離散時系列データＤｉの時間軸上の各時点に対応するデータを有している。そこで、データＱＴから、データＤｉにおける離散的な時点と同じ時点のデータをプロットした離散時系列データを抜き出し、ＱＴ’＝｛ｑ’１Ｔ，ｑ’２Ｔ，・・・，ｑ’ｎＴ｝とする。
【０１０９】
データＱ’ＴとデータＤｉとは、互いに同一の離散的な時点でのデータを有するため、各時点における互いの画像特徴量を比較することで、時間的にずれのない画像特徴量の比較を行うことができる。
【０１１０】
ここで、データＤｉの離散的な時点をｐ１，ｐ２，・・・，ｐｍ（但し、ｍは離散点の合計数）とする。そして、ある一時点ｐｊ（１≦ｊ≦ｍ）におけるＱ’ＴとＤｉの画像特徴量ベクトルをそれぞれＦＴ，ｐｊとＦｉ，ｐｊとする。このとき、それらの類似度ｓｉ，ｐｊを演算する式の一例を式（１）に示す。
【０１１１】
【数１】
2010165127.tif 000006
【０１１２】
さらに、時系列での類似度Ｓｉを演算する式の一例を式（２）に示す。
【０１１３】
【数２】
2010165127.tif 000007
【０１１４】
ここでは、各時点での類似度ｓｉ，ｐｊの平均値を時系列での類似度Ｓｉとしている。症例データベース１２０に含まれるその他の症例データと、検査対象症例との類似度も同様の方法で演算する。
【０１１５】
ステップＳ６０６では、ＣＰＵ１０１が、ステップＳ６０５において演算された類似度に基づいて、検査対象症例に類似する症例データを選定する。本実施形態では、検査対象症例に対する類似度が高い順に複数個（定数ｂとする）選択する。ここでは例えば、ｂ＝５を適用し、５個選定する。
【０１１６】
ステップＳ６０７では、ＣＰＵ１０１が、ステップＳ６０６において選定された類似する症例データ（類似症例データ）を時系列で提示する。
【０１１７】
図９は、本実施形態における類似症例データの提示方法の一例を示す図である。図９に示すように、時間軸を横軸にとり、その上に検査対象症例に関する時系列の疾患部位の関心画像を配置する。このとき、撮影日時や診断名、疾患の進行度も配置する。そして、ステップＳ６０５において位置合わせされた類似症例データを、類似度が高い順に、同様の方法で表示する。選択された類似症例データに関して、治療行為が行われている場合には、治療行為の方法も合わせて表示する。
【０１１８】
以上の説明から明らかなように、本実施形態に係る類似症例検索装置では、時系列の画像特徴量の離散値を補間した補間時系列データを用いて類似度の演算を行う構成とした。
【０１１９】
この結果、検査対象症例と撮影や検査の時間間隔が異なっていた場合であっても、経過が類似する類似症例データを提示することが可能となる。
【０１２０】
また、本実施形態に係る類似症例検索装置では、類似症例データに対応する患者に対して施されていた検査や治療行為も合わせて提示する構成とした。これにより、検査対象症例の診断に役立つ情報だけではなく、検査方針や治療方針を検討する際に読影医の方針決定に役立つ情報も提供することが可能となる。
【０１２１】
（第１の実施形態の変形例１）
図３を用いて説明した疾患進行モデル構築処理は、例えば、疾患の性質や、患者の性別や年齢ごとに異なる疾患の進行パターンが統計的に既知である場合にあっては、当該統計的なデータに基づいて実行するようにしても良い。
【０１２２】
（第１の実施形態の変形例２）
図６のステップＳ６０６における類似症例データの選定処理では、画像特徴量の変化パターンの類似度に基づいて類似症例データを提示することとしたが、例えば、それ以外の臨床情報との比較に基づいて、類似症例データを提示するようにしても良い。
【０１２３】
患者の性別と年齢の情報は、検査対象症例や症例データベース１２０内の症例データを症例グループに分類する際に考慮されるが、それ以外の臨床情報として、患者の既往歴や喫煙歴、遺伝子情報なども類似症例データを絞りこむ際に考慮するようにしてもよい。
【０１２４】
また、患者の既往歴や喫煙歴は確定診断名と相関がある可能性があり、遺伝子情報は、薬品の効果と相関がある可能性がある。このため、これらの情報が検査対象症例と等しい症例データに選定対象を絞りこむことで、類似症例データの検索精度を向上させることができる。
【０１２５】
（第１の実施形態の変形例３）
図６のステップＳ６０７における、類似症例データを時系列で提示する処理は、例えば、疾患の進行度の変化と相関の高い画像特徴量を少なくとも一つ選び、この画像特徴量の離散時系列データを提示するようにしてもよい。
【０１２６】
例えば、検査対象となる疾患が肺結節である場合、疾患の進行度の変化と、肺結節の大きさの変化は相関が高い。従って、これにより類似症例データにおける肺結節の大きさの変化を表す離散時系列データを提示することで、検査対象症例の肺結節の大きさが今後どのような変化を辿るかを予測することが可能となる。
【０１２７】
［第２の実施形態］
上記第１の実施形態では疾患進行モデルを、疾患の性質・患者の年齢層・患者の性別ごとに分類する構成としたが、本発明はこれに限定されるものではない。
【０１２８】
一般に、疾患の治療を行った場合は、治療行為によって、疾患が異なる進行パターンを辿る。そこで、本実施形態では、治療開始後（以降、予後と呼ぶ）の症例グループを新たに定義し（以降、予後症例グループと呼ぶ）、対応する進行パターンのモデル（以後、治療進行モデルと呼ぶ）を構築することとする。
【０１２９】
なお、本実施形態における医用情報システムの全体構成及び類似症例検索装置の構成は、上記第１の実施形態と同じであるため、ここでは説明を省略する。また、治療開始前（以降、治療前と呼ぶ）の疾患進行モデルは、第１の実施形態と同じ方法で構築されるため、説明を省略する。
【０１３０】
表４は、予後症例グループの一例を示している。予後の疾患の進行は治療前の疾患の進行に依存するため、予後症例グループは、治療前症例グループを細分化したものとなる。例えば、治療前症例グループＩＤ:１は、予後症例グループＩＤ:１〜６に細分化される。
【０１３１】
【表４】
2010165127.tif 000008
【０１３２】
治療進行モデルの構築方法に関しては、「手術なし」の場合は、投薬治療により疾患の状態が連続的に変化するため、治療前の疾患進行モデルと同様に図３のフローチャートに基づいて構築を行う。
【０１３３】
但し、「手術あり」の場合は、手術前は「手術なし」と同じ状態であるが、手術後は疾患部位が切除され、疾患の状態が全く異なる。そのため、「手術あり」の場合には、症例データの術後の離散時系列データに基づき、同様の方法で治療進行モデル（術後治療進行モデルと呼ぶ）を構築する。これと区別するため、「手術なし」の治療進行モデルを術前治療進行モデルと呼ぶことにする。
【０１３４】
また、本実施形態では、症例データベース１２０に格納される症例データとして、第１実施形態で説明した症例データに、治療状況に関する項目（治療前・治療開始時点・予後の何れか）を追加した症例データを用いることとする。
【０１３５】
表５に、本実施形態における症例データベース１２０に保管される症例データテーブルの一例を示す。
【０１３６】
【表５】
2010165127.tif 000009
【０１３７】
＜２．類似症例検索機能＞
次に、図１０のフローチャートを用いて、本実施形態に係る類似症例検索装置１００における類似症例検索処理の流れについて説明する。
【０１３８】
本実施形態では、検査対象症例の離散時系列データを、治療前と予後の二つのデータに分割し、それぞれ疾患進行モデルと治療進行モデルに基づいて離散時系列データを補間する。さらに、治療前と予後のそれぞれに関して、補間したデータと症例データベース１２０内の症例データとの類似度を演算する（第１の演算手段及び第２の演算手段）。
【０１３９】
更に、症例データごとに、治療前と予後の類似度の両方に基づいて、総合的な類似度（総合類似度）を演算する。そして、演算した類似度に基づき検査対象症例に類似する症例データを選定し、時系列で提示する。なお、以下の説明において、上記第１の実施形態の図６のフローチャートと同様の処理を行う工程については、図６のいずれの工程に対応するかを記載するにとどめ、詳細の説明は省略する。
【０１４０】
ステップＳ１００１からステップＳ１００３までの処理は、図６のステップＳ６０１からステップＳ６０３までの処理と同様である。また、ステップＳ１００５及びステップＳ１００６の処理は、ステップＳ６０４及びステップＳ６０５の処理と同様である。
【０１４１】
ステップＳ１００４では、ＣＰＵ１０１が、ステップＳ１００３において作成された各症例データの画像特徴量の離散時系列データを治療前と予後とで分割する。
【０１４２】
ステップＳ１００７では、ＣＰＵ１０１が、前述の治療進行モデルに基づき、検査対象の予後の離散時系列データ（予後離散時系列データと呼ぶ）を補間する。
【０１４３】
具体的には、図６のステップＳ６０４と同様に、検査対象症例を表４の予後症例グループに分類し、該当する予後症例グループに対応する治療進行モデルを選択する。
【０１４４】
このとき、検査対象症例が「手術あり」の場合であり、かつ手術前に投薬治療を行っていた場合には、該当する術後治療進行モデルに加え、同じ投薬治療を行っている術前治療進行モデルも選択する。
【０１４５】
その後、ステップＳ６０４と同様の処理で、治療進行モデルを検査対象症例の離散時系列データに適合させる。術前治療進行モデル・術後治療進行モデルの両方を選択した場合には、術前の予後離散時系列データ・術後の予後離散時系列データに対して、それぞれのモデルを適合させる。
【０１４６】
ステップＳ１００８では、ＣＰＵ１０１が、ステップＳ１００７において作成された検査対象症例の予後補間時系列データと、症例データベース１２０に格納された各症例データの離散時系列データとの類似度Ｓｐｏｓｔをそれぞれ演算する。
【０１４７】
具体的には、図６のステップＳ６０５と同様の処理を行う。但し、予後補間時系列データが、術前治療進行モデル・術後治療進行モデルの二つの進行モデルに基づいて生成されていた場合には、補間時系列データを術前と術後に分ける。そして、それぞれに対して類似度の演算を行った後、（３）式を用いて重み付け平均をとった値を、Ｓｐｏｓｔとする。
【０１４８】
【数３】
2010165127.tif 000010
【０１４９】
但し、Ｓ１は術前の離散時系列データの類似度、Ｓ２は術後の離散時系列データの類似度を表す。また、ｕは実数の定数であり、ここでは、検査対象症例の予後時系列データにおける、術前の予後離散時系列データの時間間隔が占める割合を表すものとする。
【０１５０】
ステップＳ１００９では、ＣＰＵ１０１が、ステップＳ１００６及びステップＳ１００８においてそれぞれ演算された、治療前と予後の類似度に基づいて、検査対象症例に類似する症例データを選定する。
【０１５１】
本実施形態では、同一症例データに関して、下記の式４を用いて治療前の類似度（Ｓｐｒｅとする）と予後の類似度Ｓｐｏｓｔの重み付け平均をとった値を、総合的類似度として演算するものとする。
【０１５２】
【数４】
2010165127.tif 000011
【０１５３】
但し、ｖは実数の定数であり、ここでは、検査対象症例の離散時系列データ全体における、治療前時系列データの時間間隔が占める割合を表している。
【０１５４】
そして、図６のステップＳ６０６と同様に、検査対象症例に対する総合的類似度が高い方から順に複数個選択する。
【０１５５】
ステップＳ１０１０では、ＣＰＵ１０１が、ステップＳ１００９において選定された類似症例データを時系列で提示する。
【０１５６】
図１１は、本実施形態における類似症例データの提示方法の一例を示す図である。図１１は、第１実施形態における図９と同様の表示形態である。ただし、図１１の場合、治療行為まで行われている検査対象症例に対して、治療前の疾患の進行状況だけではなく、術前・術後の投薬治療の進行状況についても類似する症例が提示される（第１の出力手段及び第２の出力手段）。
【０１５７】
以上の説明から明らかなように、本実施形態に係る類似症例検索装置では、疾患の進行状況が異なる治療前と治療後、及び術前と術後を区別して、異なる疾患進行モデルによって離散時系列データを補間し、別々に類似度を演算する構成とした。
【０１５８】
これにより、例えば、検査対象症例が治療行為まで行われていた症例であった場合に、治療前の疾患進行モデルのみに基づいて離散時系列データを補間すると、治療前の疾患進行モデルとの不一致が生じてしまうといった問題を解決することが可能となる。
【０１５９】
さらに、検査対象症例の治療前の進行パターンと、症例データベース１２０に格納された症例データの予後の進行パターンとが偶然近かった場合に、本来は類似症例データではないにも関わらず、類似度が高い症例データとして提示されてしまうといった問題を解決することが可能となる。
【０１６０】
この結果、より正確な離散時系列データの補間と類似度の演算が可能となる。
【０１６１】
（第２の実施形態の変形例１）
ステップＳ１００９では、類似症例データの選定方法として、治療前と予後のそれぞれの類似度から演算した総合的類似度が高い順に特定の数だけ選定する方法を用いることとしたが、これに限定されるものではない。例えば、治療前と予後のそれぞれに関して、類似度が高い順に特定の数だけ症例データを選定するようにしてもよい。
【０１６２】
これにより、治療前と予後のそれぞれに着目した類似症例を提示することが可能となる。当該方法によれば、治療前の疾患の進行状況のみが類似している症例データを複数提示し、それらの予後の進行状況がどう異なるかを参考にしたい場合に、有効となる。また、その逆の場合にも同様に有効である。
【０１６３】
さらに、予後における術前と術後の類似度を別々に演算することで、治療前と術前、術後のそれぞれに着目した類似症例データを提示するようにしてもよい。これにより、例えば術後の経過のみが類似する類似症例データを提示して、治療方針計画などの参考にすることが可能となる。
【０１６４】
（第２の実施形態の変形例２）
本実施形態では、治療進行モデルの構築に際して、表４で示したように、治療方法として「手術の有無」・「投薬した薬品」に応じて症例グループを作成することとしたが、症例グループを分類する治療方法はこれに限られない。
【０１６５】
その他にも疾患の進行パターンに影響を及ぼす可能性がある治療方法として、「放射線治療」などが挙げられる。したがって、放射線治療に応じて症例グループを作成するようにしてもよい。同様に、類似症例データの提示に際して、治療情報として「放射線治療」の情報を提示するようにしてもよい。
【０１６６】
［第３実施形態］
上記第１及び第２の実施形態では、検査対象症例の離散時系列データを補間した補間時系列データと、症例データベース１２０内の症例データの離散時系列データとを比較することで、類似度の演算を行うこととしたが、本発明はこれに限定されない。
【０１６７】
上記第１及び第２の実施形態とは逆に、検査対象症例の離散時系列データと、症例データベース１２０内の症例データの離散時系列データを補間した補間時系列データとを比較することで、類似度の演算を行うように構成してもよい。
【０１６８】
当該構成では、症例データベース１２０内の症例データの離散時系列データを補間する処理を予め実行しておき、類似症例検索時にＣＰＵ１０１がアクセスし易い磁気ディスク１０３内に格納しておく。そして類似症例検索の際には、磁気ディスク１０３に格納された各症例データの補間時系列データを、検査対象症例の離散時系列データとの比較のために読み出す。
【０１６９】
かかる構成によれば、症例データベース１２０内の症例データの補間時系列データを、予め磁気ディスク１０３内に格納しておくため、類似症例検索を実行する際に補間時系列データを作成する処理を省くことが可能となる。
【０１７０】
この結果、類似症例検索の際に検査対象症例の離散時系列データを補間する必要がなくなり、上記第１及び第２の実施形態に比べ、類似症例検索処理の時間を短縮させることが可能となる。
【０１７１】
［他の実施形態］
なお、本発明は、複数の機器（例えばホストコンピュータ、インタフェース機器、リーダ、プリンタなど）から構成されるシステムに適用しても、一つの機器からなる装置（例えば、複写機、ファクシミリ装置など）に適用してもよい。
【０１７２】
また、本発明の目的は、前述した実施形態の機能を実現するソフトウェアのプログラムコードを記録したコンピュータ読取可能な記憶媒体を、システムあるいは装置に供給するよう構成することによっても達成されることはいうまでもない。この場合、そのシステムあるいは装置のコンピュータ（またはＣＰＵやＭＰＵ）が記憶媒体に格納されたプログラムコードを読出し実行することにより、上記機能が実現されることとなる。なお、この場合、そのプログラムコードを記憶した記憶媒体は本発明を構成することになる。
【０１７３】
プログラムコードを供給するための記憶媒体としては、例えば、フロッピ（登録商標）ディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【０１７４】
また、コンピュータが読出したプログラムコードを実行することにより、前述した実施形態の機能が実現される場合に限られない。例えば、そのプログラムコードの指示に基づき、コンピュータ上で稼働しているＯＳ（オペレーティングシステム）などが実際の処理の一部または全部を行い、その処理によって前述した実施形態の機能が実現される場合も含まれることは言うまでもない。
【０１７５】
さらに、記憶媒体から読出されたプログラムコードが、コンピュータに挿入された機能拡張ボードやコンピュータに接続された機能拡張ユニットに備わるメモリに書込まれた後、前述した実施形態の機能が実現される場合も含まれる。つまり、プログラムコードがメモリに書込まれた後、そのプログラムコードの指示に基づき、その機能拡張ボードや機能拡張ユニットに備わるＣＰＵなどが実際の処理の一部または全部を行い、その処理によって実現される場合も含まれる。
【図面の簡単な説明】
【０１７６】
【図１】本発明の第１の実施形態に係る類似症例検索装置（情報処理装置）を備える医用情報システムの全体構成及び類似症例検索装置の構成を示す図である。
【図２】症例データ生成処理の流れを示すフローチャートである。
【図３】疾患進行モデル構築処理の流れを示すフローチャートである。
【図４】離散時系列データのグラフである。
【図５】疾患進行モデルを表す図である。
【図６】類似症例検索処理の流れを示すフローチャートである。
【図７】離散時系列データのグラフである。
【図８】補間された離散時系列データのグラフである。
【図９】類似症例データの提示方法の一例を示す図である。
【図１０】類似症例検索処理の流れを示すフローチャートである。
【図１１】類似症例データの提示方法の一例を示す図である。
【符号の説明】
【０１７７】
１００  類似症例検索装置
１０２  症例データベース
１０３  医用画像データベース
１０４  診療録データベース
１０５  ＬＡＮ
１１０  制御部
【図１】
2010165127.tif 000012
【図２】
2010165127.tif 000013
【図３】
2010165127.tif 000014
【図４】
2010165127.tif 000015
【図５】
2010165127.tif 000016
【図６】
2010165127.tif 000017
【図７】
2010165127.tif 000018
【図８】
2010165127.tif 000019
【図１０】
2010165127.tif 000020
【図９】
2010165127.tif 000021
【図１１】
2010165127.tif 000022